(57)【要約】【課題】 給気ファンなどの運転騒音が器具外部へ漏出することを抑制する。【解決手段】フィルター３１１を備えた給気口３０の内側に、給気口３０よりもひと回り小さい開口部３２４を有した第一遮音板３２２を、器具ケーシング１２から所定スペースあけて設置する。また、第一遮音板３２２から所定スペースあけて、第一遮音板３２２の開口部３２４よりも大きい面積の第二遮音板３３２を設置する。  この構成により、器具内部の運転音は、給気口３０から漏出する前に、第一遮音板３２２と第二遮音板３３２とにより遮られる。  また、第二遮音板３３２と第一遮音板３２２との間のスペースを通過して外部に漏出する騒音についても、スペース通過中に騒音は第一遮音板３２２、第二遮音板３３２に衝突し、減衰されるために、器具内部から外部に伝播する騒音を確実に抑制することができる。【選択図】    図１
2005180782.tif 000002
【特許請求の範囲】
【請求項１】
燃焼室内に設けられ燃料を燃焼するバーナと、
器具ケーシングに設けられ、上記バーナに供給する燃焼用空気を取入れるための給気用開口と、
上記給気用開口を覆うフィルターと
を備えた温水機器において、
上記給気用開口よりも小さい開口を有するとともに、該給気用開口の器具内部側に該給気用開口に対して所定スペースをあけて対面して設置される第一板と、  上記第一板と上記給気用開口との間に形成されるスペースの周囲を囲う筒部と、
上記第一板の開口面積よりも大きい面積を有するとともに、該第一板の器具内部側に該第一板の開口に対して所定スペースをあけて対面して設置される第二板と
を備え、
上記第一板と上記第二板との間に、上記バーナへの給気用流路が形成されることを特徴とする温水機器。
【請求項２】
上記第二板よりも大きい面積を有するとともに、上記第二板の面積よりも小さい面積の開口が形成され、該第二板の器具内部側に該第二板に対して所定スペースあけて対面して設置される第三板と、
上記第一板と上記第二板との間に流れる空気を、該第二板と上記第三板との間に導くように、該第一板と該第三板との周囲を囲う筒部と
を備えたことを特徴とする請求項１記載の温水機器。
【請求項３】
上記第一板、第二板、第三板の少なくともいずれかに、吸音材を設けたことを特徴とする請求項１または請求項２記載の温水機器。
【発明の詳細な説明】
【技術分野】
【０００１】
本発明は、燃焼熱により通水を加熱する温水機器に関する。
【背景技術】
【０００２】
従来より一般に広く知られている温水機器は、燃焼排気により通水を加熱するバーナと、バーナに燃焼用空気を供給するファンとを備える。
以下、このような給湯器について、図１０を用いて説明する。
【０００３】
この給湯器ＢＨは、居室内に設置されるもので、器具ケーシング１２の正面下方に給気口３０を形成し、器具ケーシング１２の内部に燃焼室２０を備える。
燃焼室２０下方には、ＤＣモータ４８と連結した給気ファン３６が設けられ、給気口３０からフィルターＦを介して燃焼用空気を取り込み、燃焼室２０内に送風する。
燃焼室２０内には、燃料ガスと給気ファン３６からの燃焼用空気との混合ガスを燃焼するバーナ２２と、バーナ２２の燃焼熱を回収する熱交換器１８とが設けられる。
また、燃焼室２０の上部には、熱交換器１８を通過した燃焼ガスの排気フード２１が形成される。この排気フード２１はその上部に設けられた排気口４４に臨んでいる。
排気口４４には、図示しない排気ダクトが備えられ、燃焼排気は排気ダクトを経由して屋外に排出される。 
【０００４】
ところで、このような給湯器ＢＨは、燃焼作動時において、バーナ２２の燃焼音や、給気ファン３６の風切り音、ＤＣモータ４８の回転駆動音等が発生する。
これらの音は、給気口３０より漏れでて、給湯器ＢＨが設けられた居室内に騒音を引き起こしていた。
【０００５】
そのため、最近では、特許文献１に示すように、給気口３０を器具ケーシング１２正面に設けずに、左右側面および下部に設けるものが提案されている。
【特許文献１】特開２００３−１３０４６５
【発明の開示】
【発明が解決しようとする課題】
【０００６】
しかしながら、給気口３０を器具正面に設けない場合であっても、器具ケーシ
ング１２内部から外部に漏れでる騒音の大きさを小さくする根本的な解決にはならない。
【０００７】
また、器具ケーシング１２内部より外部に漏れでる騒音の大きさを小さくする別の方法として、給気口３０の開口面積を小さくする方法があるが、この場合には、給気口３０に設けたフィルターＦ面積も小さくなるため、フィルターＦが目詰まりを起こしやすく、使用者のメンテナンスの負担を増加させることになってしまう。
【０００８】
本発明はかかる課題を解決し、フィルター面積を確保しつつ、器具ケーシング内部で発生した騒音が給気口から外部に漏れでること抑制した温水機器を提供することを目的とする。
【課題を解決するための手段】
【０００９】
上記課題を解決する本発明請求項１記載の温水機器は、燃焼室内に設けられ燃料を燃焼するバーナと、
器具ケーシングに設けられ、上記バーナに供給する燃焼用空気を取入れるための給気用開口と、
上記給気用開口を覆うフィルターと
を備えた温水機器において、上記給気用開口よりも小さい開口を有するとともに、該給気用開口の器具内部側に該給気用開口に対して所定スペースをあけて対面して設置される第一板と、
上記第一板と上記給気用開口との間に形成されるスペースの周囲を囲う筒部と、
上記第一板の開口面積よりも大きい面積を有するとともに、該第一板の器具内部側に該第一板の開口に対して所定スペースをあけて対面して設置される第二板と
を備え、
上記第一板と上記第二板との間に、上記バーナへの給気用流路が形成されることを要旨とする。
【００１０】
また、上記課題を解決する本発明請求項２記載の温水機器は、上記請求項１記載の温水機器において、上記第二板よりも大きい面積を有するとともに、上記第二板の面積よりも小さい面積の開口が形成され、該第二板の器具内部側に該第二板に対して所定スペースあけて対面して設置される第三板と、
上記第一板と上記第二板との間に流れる空気を、該第二板と上記第三板との間に導くように、該第一板と該第三板との周囲を囲う筒部と
を備えたことを要旨とする。
【００１１】
また、上記課題を解決する本発明請求項３記載の温水機器は、上記請求項１または請求項２記載の温水機器において、上記第一板、第二板、第三板の少なくともいずれかに、吸音材を設けたことを要旨とする。
【発明の効果】
【００１２】
上記構成を有する本発明の請求項１記載の温水機器は、器具ケーシングに設けられた給気用開口よりも面積の小さい開口を有する第一板を給気用開口の内側に、給気用開口に対面するように所定スペースあけて設置するとともに、第一板と給気用開口との間のスペースを筒部で囲う構成としたために、騒音の漏れでる開口面積を、給気用開口よりも面積の小さい第一板の開口とすることができる。
そのため、給気用開口全体から運転音が漏れでていた従来の場合と比較して、騒音を抑制することができる。
一方、燃焼用空気は給気用開口全体からフィルターを経由して吸込まれる。
従って、燃焼用空気のゴミを取り除くフィルターの面積は、従来通り広くとることができ、フィルター面積を減少させることに伴った目詰まりを引き起こすことがない。
また、第一板の開口面積よりも大きい面積の第二板が、第一板よりも内側に、第一板の開口と対面して所定スペースあけて設置されるために、器具内部の運転音は、第二板に衝突し、直接第一板の開口まで達しない。
つまり、給気用開口が第一板と第二板とによって段違いに塞がれた構成となっているために、器具内の運転音は、第一板および第二板に衝突・反射し、給気用開口から外部に直接放出されることがない。
しかも、第一板と第二板との間に、バーナへの給気通路が形成されるために、第一板および第二板に衝突・反射した騒音は、第一板と第二板との間のスペースを通過し、このスペース通過中に、さらに第一板、第二板に衝突し、反射・吸収を繰り返して減衰された後で、給気用開口に到達する。
従って、器具内部から外部に伝播する騒音を確実に抑制することができ、使用者の不快感を減少させることができる。
【００１３】
上記構成を有する本発明の請求項２記載の温水機器は、第二板よりも小さい開口面積を有する第三板が、第二板よりも内側に、第二板と対面して所定スペースあけて設置されるために、器具内部の運転音は、第一板、第二板、第三板により遮られ、給気用開口から直接放出されない。
しかも、第一板と第三板との間に形成されるスペースを筒部で囲み、第一板と第二板および、第二板と第三板との間に、バーナへの給気用流路を形成したために、器具内部で発生した騒音は、給気用開口に到達する前に、第二板と第三板との間のスペースおよび、第一板と第二板との間のスペースを通過する。そのため、騒音はスペース通過中に、これら第一板、第二板、第三板に衝突して吸収される。
これにより、一層確実に騒音を抑制することができる。
【００１４】
上記構成を有する本発明の請求項３記載の温水機器は、第一板、第二板、第三板のいずれかに設けられた吸音材が、器具内部の運転音を吸収するため、外部に漏れ出す騒音を一層確実に抑制することができる。
【発明を実施するための最良の形態】
【００１５】
以上説明した本発明の構成、作用を一層明らかにするために、以下、本発明の温水機器における好適な実施形態について説明する。
【実施例１】
【００１６】
本発明実施例１の温水機器としての給湯器を、図１を用いて説明する。
なお、従来例と異なる部分について説明し、重複する部分に関しては同一符号を付してその説明を省略する。
【００１７】
この給湯器ＢＨは、居室内に設置されるもので、器具ケーシング１２の正面下方に給気口３０を形成し、器具ケーシング１２の内部に燃焼室２０を備える。
燃焼室２０下方には、ＤＣモータ４８と連結した給気ファン３６が設けられ、給気口３０から燃焼用空気を取り込む。
【００１８】
給気口３０には、外側にフィルター部３１０が、内側に遮音部３００が対面して備えられる。
また、この給気口３０外周部には、図５に示すように、器具ケーシング１２に段差部３１が設けられ、段差部３１には、ネジ孔３１ａが形成される。
【００１９】
フィルター部３１０は、枠体３１２とフィルター３１１とから構成される。
枠体３１２は、プラスチック製であり、外周部において、貫通孔３１２ａが一箇所形成される。
フィルター３１１は、樹脂繊維により形成され、枠体３１２と一体成形される。
このフィルター部３１０は、図示されるように、器具ケーシング１２外側から、給気口３０外周の段差部３１に当接されて、ネジＢにより固定される。
【００２０】
次に、遮音部３００について、図２〜５を用いて説明する。図２は遮音部３００の断面図、図３は遮音部３００の斜視図、図４は遮音部３００を器具内部から見た背面図である。
遮音部３００は、第一板部３２０と第二板部３３０とから構成される。
第一板部３２０は、一枚の鉄板を箱型に折曲げて形成され、器具ケーシング１２に固定されるケーシング固定部３２１と、給気口３０と所定スペースあけて対面する第一遮音板３２２と、第一遮音板３２２と給気口３０との離隔をとるとともに、給気口３０、第一遮音板３２２を囲んで給気室を形成する筒部３２３とから形成される。
この第一遮音板３２２が、本発明における第一板、筒部３２３が本発明請求項１における筒部に相当する。
第一遮音板３２２には、給気用の開口３２４が形成される。この開口３２４の面積は、バーナ２２の燃焼に必要な給気量を得るための最小面積であり、給気口３０面積よりもひとまわり小さい。また、その中心は給気口３０の中心と同軸上に位置する。
【００２１】
第二板部３３０は、一枚の鉄板をＬ字型に折り曲げて形成され、第一板部３２０に固定される第一板固定部３３１と、第一遮音板３２２に対面する第二遮音板３３２とからなる。
この第二遮音板３３２が、本発明における第二板に相当する。
第二遮音板３３２は、第一遮音板３２２に形成された開口３２４よりもひとまわり大きく、第一遮音板３２２に対して、所定スペースあけて、対面するように設置される。この第二遮音板３３２は、図４に示すように、第一遮音板３２２の開口３２４を所定スペースあけて覆うように設置されている。すなわち、正面視（背面視）において、第一遮音板３２２の開口３２４の全てが、第二遮音板３３２面上に重なる。
【００２２】
この給湯器ＢＨの燃焼用空気は、図２に示すように、給気口３０全体から吸込まれて、第一板部３２０に形成された開口部３２４を通過後、第一板部３２０と第二板部３３０との間のスペースＳ１を経由して燃焼室２０内に供給される。
【００２３】
このような構成により、器具内の運転音は、第一遮音板３２２に設けられた開口部３２４からのみ器具内部から外部に漏出する。つまり、運転音の漏れでる開口面積を、バーナ２２における燃焼に必要な給気量を得るための最小面積とすることができる。
従って、給気口３０全体から運転音が漏れでていた従来の場合と比較して、騒音を抑制することができる。
【００２４】
一方、燃焼用空気は給気口３０に設けられたフィルター３１１から吸込まれる。そのため、給気される燃焼用空気のゴミを取り除くフィルター３１１面積は、従来通り広くとることができ、フィルター３１１面積を減少させることに伴った目詰まりを招かない。
これにより、フィルターの目詰まりを短時間に起こさずして、騒音を低減させることができる。
【００２５】
また、給気口３０が第一遮音板３２２と第二遮音板３３２とによって段違いに塞がれた構成となっているために、器具内部の運転音は、第一遮音板３２２と第二遮音板３３２とにより遮られる。
つまり、器具内の運転音は、第一遮音板３２２、第二遮音板３３２に衝突・反射するために、直接給気口３０に達しない。
さらに、第一板部３２０と第二板部３３０との間のスペースＳ１を通過する騒音についても、スペースＳ１通過中に、第一板部３２０、第二板部３３０に衝突し、反射・吸収を繰り返して減衰される。この結果、器具から外部に放出される騒音を減少させ、使用者の不快感を軽減させることができる。
【実施例２】
【００２６】
次に、実施例２について、図６〜９を用いて説明する。
なお、実施例１と異なる部分について説明し、重複する部分に関しては同一符号を付してその説明を省略する。
実施例２は、遮音部３００を第一板部３２０と第二板部３３０と第三板部３４０とから構成する。 
第一板部３２０は、実施例１と同様の構成である。
【００２７】
第二板部３３０は、第一板部３２０と第三板部３４０との間に備えられる。この第二板部３３０は、一枚の鉄板をＬ字型に折り曲げて形成され、後述する第三板部３４０の給気通路部３４２内壁に固定される第三板固定部３３１と、第二遮音板３３２とからなる。
第二遮音板３３２は、第一遮音板３２２に形成された開口３２４よりもひとまわり大きく、第一遮音板３２２に対して、所定スペースあけて、対面するように設置される。すなわち、この第二遮音板３３２は、第一遮音板３２２の開口３２４を、所定スペースあけて覆うように設置される。
【００２８】
第三板部３４０は、図８に示すように、一枚の鉄板を箱型に折曲げて形成され、第二遮音板３３２と所定スペースあけて対面する第三遮音板３４１と、第二遮音板３３２外周を所定スペースあけて四角筒状に囲む給気通路部３４２とからなる。
第三遮音板３４１には、中央に給気用開口部３４３が形成される。この開口３２４の面積は、第一遮音板３２２に設けられた開口３２４と同程度で、その中心は給気口３０の中心および第一板部３２０の開口３２４の中心と同軸上に位置する。
正面視においては、第一遮音板３２２の開口３２４の全てが、第二遮音板３３２面上に重なるとともに、第三遮音板３４１の給気用開口部３４３の全てが第二遮音板３３２上に重なる。
この第三遮音板３４１が本発明における第三板、給気通路部３４２が本発明請求項３における筒部に相当する。
【００２９】
この給湯器ＢＨの給気通路は、図７に示すように、第一板部３２０と第二板部３３０との間のスペースＳ１および第二板部３３０と第三板部３４０との間のスペースＳ２により形成される。
燃焼用空気は、給気口３０に設置されたフィルター部３１０全体から吸込まれて、第一板部３２０と第二板部３３０との間のスペースＳ１を通過した後、第二板部３３０と第三板部３４０との間のスペースＳ２を通過して、第三遮音板３４１に形成された給気用開口部３４３から燃焼室２０内に供給される。
【００３０】
このように、遮音部３００を第一板部３２０と第二板部３３０と第三板部３４０とによって形成し、給気口３０を段違いに塞ぐ構成としたために、器具内の運転音は、第一板部３２０、第二板部３３０、第三板部３４０により遮られる。つまり、器具内の運転音は、第一遮音板３２２、第二遮音板３３２に衝突・反射するために、給気口３０から外部に直接放出されることがない。
さらに、第一板部３２０、第二板部３３０、第三板部３４０の間のスペースを通過して外部に漏出する騒音についても、スペースＳ１、Ｓ２通過中に、騒音は第一板部３２０、第二板部３３０、第三板部３４０に衝突・反射を繰り返し大部分が吸収される。
そのため、器具内部から外部に伝播する騒音を抑制することができ、使用者の不快感を減少させることができる。
【実施例３】
【００３１】
次に、実施例３の給湯器について、図９を用いて説明する。
なお、実施例２と異なる部分について説明し、重複する部分に関しては同一符号を付してその説明を省略する。
【００３２】
実施例３の給湯器は、実施例２の給湯器ＢＨの第二板部３３０および第三板部３４０に吸音材３５０を取り付けたものである。
吸音材３５０は、フェルト状のガラスウールにより形成されて、第三遮音板３４１の器具内部側および第二遮音板３３２の両面に貼り付けられる。  
【００３３】
このような構成により、器具内部の騒音は、第三遮音板３４１に貼り付けられた吸音材３５０に衝突し、吸収される。
また、遮音部３００中に形成されたスペースＳ１、Ｓ２から外部に漏れ出す騒音についても、スペースＳ１、２通過中に、第二遮音板３３２に貼り付けられた吸音材により、吸収される。
従って、一層確実に器具の騒音を抑制することができる。
【００３４】
以上、本発明の実施例について説明したが、本発明はこうした実施形態に何ら限定されるものではなく、本発明の要旨を逸脱しない範囲において種々なる形態で実施しうることはもちろんである。
例えば、第一板部、第二板部、第三板部は、それぞれ実施例の形状に限定されないし、鉄板で形成されるものに限定しない。
また、吸音材についても、設置位置および材質は、実施例に限定しない。
【産業上の利用可能性】
【００３５】
本発明は、給湯単機能の温水機器への適用に限らず、風呂付給湯器や、風呂追焚単機能の温水機器や、暖房機能付温水機器に適用してもよい。
また、バーナの燃焼音や、給気ファンの風切り音、モータの回転駆動音に限らずに、種々の騒音の低減に対しても有効である。
【図面の簡単な説明】
【００３６】
【図１】本発明実施例１の給湯器を示した説明図である。
【図２】本発明実施例１の遮音部を示した説明図である。
【図３】本発明実施例１の遮音部を示した説明図である。
【図４】本発明実施例１の遮音部を示した説明図である。
【図５】本発明実施例のフィルター部を示した説明図である。
【図６】本発明実施例２の給湯器を示した説明図である。
【図７】本発明実施例２の遮音部およびフィルター部を示した説明図である。
【図８】本発明実施例２の遮音部を示した説明図である。
【図９】本発明実施例３の遮音部を示した説明図である。
【図１０】従来の給湯器を示した説明図である。
【符号の説明】
【００３７】
ＢＨ  給湯器
１２  器具ケーシング
１８  熱交換器
２０  燃焼室
２２  バーナ
３０  給気口
３６  給気ファン
４８  ＤＣモータ  
３００  遮音部
３１０  フィルター部
３１１  フィルター
３１２  枠体
３２０  第一板部
３２１  固定部
３２２  第一遮音板
３２３  筒部
３２４  開口部
３３０  第二板部
３３２  第二遮音板
３４０  第三板部
３４１  第三遮音板
３４２  筒部
３５０  吸音材
【図１】
2005180782.tif 000003
【図２】
2005180782.tif 000004
【図３】
2005180782.tif 000005
【図４】
2005180782.tif 000006
【図５】
2005180782.tif 000007
【図６】
2005180782.tif 000008
【図７】
2005180782.tif 000009
【図８】
2005180782.tif 000010
【図９】
2005180782.tif 000011
【図１０】
2005180782.tif 000012